(57)【要約】【課題】簡易な構成で、良好な信号伝送特性を安定的に得ることを可能とする。【解決手段】ケーブル状信号伝送媒体ＳＣと内部導体コンタクト１２との結線部分を臨むように配置した溝の内壁面により形成された空間部１１ｅを、シェル蓋部１３ｂと一体的に開閉される絶縁押圧板１１ｄの一部に設け、それらの結線部分と空間部１１ｅをシールドシェル１３における径方向の内方領域に配置したことで、絶縁押圧板１１ｄの空間部１１ｅにより形成されるインピーダンス調整用の空気層を、インピーダンスの不整合を生じやすい結線部分に対面するように配置させることとし、インピーダンスのマッチング度合い（ＶＳＷＲ）の調整を効率的に行うことを可能としたものである。【選択図】図９
2016146318.tif 000002
【特許請求の範囲】
【請求項１】
ケーブル状信号伝送媒体の端末部分が連結される絶縁ハウジングと、その絶縁ハウジングの外表面を覆うように装着された略中空円筒状部材からなる外部導体シェルと、当該外部導体シェルにおける径方向の内方領域に配置された内部導体コンタクトと、を備え、
前記ケーブル状信号伝送媒体の端末部分と前記内部導体コンタクトとの結線部分が、前記外部導体シェルの径方向の内方領域に配置されているとともに、
前記外部導体シェルが有する環状開口部には、当該環状開口部を開放・閉塞するシェル蓋部が開閉可能に連結され、
前記絶縁ハウジングに、前記シェル蓋部と一体的に開閉される絶縁押圧板が設けられたものであって、
前記シェル蓋部が前記外部導体シェルの環状開口部を覆うように閉塞される際に前記絶縁押圧板が折曲げ部を形成するように変形されることで、当該絶縁押圧板の押圧力により前記内部導体コンタクトの舌片状部が前記ケーブル状信号伝送媒体に押圧接触して前記結線部分を形成する構成になされた同軸型電気コネクタにおいて、
前記絶縁押圧板の表面の一部であって、前記ケーブル状信号伝送媒体の端末部分と前記内部導体コンタクトとの結線部分を臨む位置に、段差状をなして窪む溝の内壁によって形成された空間部が設けられ、
前記空間部は、前記外部導体シェルにおける径方向の内方領域に配置され、かつ前記ケーブル状信号伝送媒体の延在方向と直交する幅方向の内径寸法Ｗ１が、前記内部導体コンタクトの舌片状部における前記幅方向の外形寸法Ｗ２より小さく形成されていることを特徴とする同軸型電気コネクタ。
【請求項２】
前記空間部は、前記結線部分から前記折曲げ部に至るまでの領域に、前記ケーブル状信号伝送媒体に沿って延在するように設けられていることを特徴とする請求項１記載の同軸型電気コネクタ。
【請求項３】
前記絶縁押圧板が、前記外部導体シェルの環状開口部を覆うように配置される前記シェル蓋部の内壁面に沿って延在する構成になされ、
前記シェル蓋部の内壁面に、前記空間部と対向配置されるシェル側凹溝部が形成されていることを特徴とする請求項１記載の同軸型電気コネクタ。
【請求項４】
前記空間部が、貫通孔により形成されていることを特徴とする請求項１記載の同軸型電気コネクタ。
【発明の詳細な説明】
【技術分野】
【０００１】
本発明は、細線同軸ケーブル等のケーブル状信号伝送媒体が連結されて使用される同軸型電気コネクタに関する。
【背景技術】
【０００２】
一般に、携帯電話やスマートフォン等の種々の電子機器又は電気機器に用いられる信号電送媒体として、細線同軸ケーブル等のケーブル状信号伝送媒体が広く採用されているが、そのようなケーブル状信号伝送媒体を印刷配線基板に効率的に接続するための同軸型電気コネクタが知られている。例えば、下記の特許文献１に記載された同軸型電気コネクタにおいては、絶縁ハウジングの外周側に、略中空円筒状部材からなる外部導体シェル（シールドシェル）が装着されているとともに、その外部導体シェルの環状開口部に対してシェル蓋部が開閉可能に連結されている。そして、ケーブル状信号伝送媒体の端末部を連結する際に開放状態にあったシェル蓋部が、外部導体シェルの内方領域に配置された内部導体コンタクトとともに押し倒されるようにして閉塞されることで、前記内部導体コンタクトが折り曲げられるように塑性変形し、それによってケーブル状信号伝送媒体が挟持された状態となり、電気的な接続が行われる構成になされている。
【０００３】
このような構成を有する同軸型電気コネクタによれば、同軸ケーブル等のケーブル状信号伝送媒体を内部導体コンタクトに連結するための半田接続作業が省略されることから、組立て作業性が向上されるとともに、半田材の廃棄等による環境的観点の問題が解消され、しかも半田の使用量の差に起因した特性インピーダンスのズレが無くなるという利点も得られる。
【０００４】
しかしながら、従来の同軸型電気コネクタでは、特に近年における伝送信号の高周波化や、電気コネクタの急速な小型化又は低背化が進むに伴って、伝送信号に対する特性インピーダンスのマッチング度合い（ＶＳＷＲ）が不整合状態となる傾向があり、良好な高周波特性を維持することが難しくなりつつある。
【先行技術文献】
【特許文献】
【０００５】
【特許文献１】特開２０１１−４０２６２号公報
【発明の開示】
【発明が解決しようとする課題】
【０００６】
そこで本発明は、簡易な構成で、良好な信号伝送特性を安定的に得ることができるようにした同軸型電気コネクタを提供することを目的とする。
【課題を解決するための手段】
【０００７】
上記目的を達成するため本発明においては、ケーブル状信号伝送媒体の端末部分が連結される絶縁ハウジングと、その絶縁ハウジングの外表面を覆うように装着された略中空円筒状部材からなる外部導体シェルと、当該外部導体シェルにおける径方向の内方領域に配置された内部導体コンタクトとを備え、前記ケーブル状信号伝送媒体の端末部分と前記内部導体コンタクトとの結線部分が、前記外部導体シェルの径方向の内方領域に配置されているとともに、前記外部導体シェルが有する環状開口部には、当該環状開口部を開放・閉塞するシェル蓋部が開閉可能に連結され、前記絶縁ハウジングに、前記シェル蓋部と一体的に開閉される絶縁押圧板が設けられたものであって、前記シェル蓋部が前記外部導体シェルの環状開口部を覆うように閉塞される際に前記絶縁押圧板が折曲げ部を形成するように変形されることで、当該絶縁押圧板の押圧力により前記内部導体コンタクトの舌片状部が前記ケーブル状信号伝送媒体に押圧接触して前記結線部分を形成する構成になされた同軸型電気コネクタにおいて、前記絶縁押圧板の表面の一部であって、前記ケーブル状信号伝送媒体の端末部分と前記内部導体コンタクトとの結線部分を臨む位置に、段差状をなして窪む溝の内壁によって形成された空間部が設けられ、前記空間部は、前記外部導体シェルにおける径方向の内方領域に配置され、かつ前記ケーブル状信号伝送媒体の延在方向と直交する幅方向の内径寸法Ｗ１が、前記内部導体コンタクトの舌片状部における前記幅方向の外形寸法Ｗ２より小さく形成された構成になされている。
【０００８】
このような構成を有する本発明によれば、絶縁押圧板に段差状をなして窪む溝の内壁によって形成された空間部が、外部導体シェルの径方向の内方領域に配置された結線部分に臨む配置関係になされているため、当該空間部により形成されるインピーダンス調整用の空気層が、インピーダンスの不整合を生じやすい結線部分に対面するように配置されることとなり、電気コネクタの重要設計要素であるインピーダンスのマッチング度合い（ＶＳＷＲ）の調整が効率的に行われることによって、電気コネクタの小型化又は低背化を行いつつ高周波信号の良好な伝送が容易に維持される。
【０００９】
また、本発明における前記空間部は、前記結線部分から前記折曲げ部に至るまでの領域に、前記ケーブル状信号伝送媒体に沿って延在するように設けられていることが望ましい。
【００１０】
このような構成を有する本発明によれば、絶縁押圧板の折曲げ部が外部導体シェルに対して径方向に対向する部位においても、絶縁押圧板に設けられた空間部によってインピーダンスの調整用の空気層が形成され、インピーダンスの整合が更に効率的に行われるとともに、絶縁押圧板の折曲げ部における剛性が空間部によって低減されることから、当該絶縁押圧板の折り曲げ作業が、破損等を生じることなく容易に行われる。
【００１１】
さらに、本発明では、前記絶縁押圧板が、前記シールドシェルの環状開口部を覆うように配置される前記シェル蓋部の内壁面に沿って延在する構成になされ、前記シェル蓋部の内壁面に、前記空間部と対向するシェル側凹溝部が形成されていることが望ましい。
【００１２】
このような構成を採用すれば、絶縁押圧板の空間部によるインピーダンスの整合作用に加えて、シェル蓋部の内壁面に設けられたシェル側凹溝部によってもインピーダンスの整合が行われるため、インピーダンスの整合が、一層効率的かつ容易に行われる。
【００１３】
さらにまた、本発明では、前記空間部が、貫通孔により形成されていることが望ましい。
【００１４】
このような構成を採用すれば、製造の容易な貫通孔により空間部が構成されることから、製造効率の向上が図られる。
【発明の効果】
【００１５】
以上述べたように本発明は、ケーブル状信号伝送媒体と内部導体コンタクトとの結線部分を臨むように配置した空間部を、シェル蓋部と一体的に開閉される絶縁押圧板の一部に設け、それらの結線部分と空間部を外部導体シェルにおける径方向の内方領域に配置したことで、絶縁押圧板の空間部により形成されるインピーダンス調整用の空気層を、インピーダンスの不整合を生じやすい結線部分に対面するように配置させることとし、インピーダンスのマッチング度合い（ＶＳＷＲ）の調整を効率的に行うことを可能としたものであるから、簡易な構成で、良好な信号伝送特性を安定的に得ることができ、電気コネクタの信頼性を低廉かつ大幅に向上させることができる。
【図面の簡単な説明】
【００１６】
【図１】本発明の一実施形態にかかる同軸ケーブルが連結された同軸型電気コネクタ（プラグコネクタ）単体を正面上方側から表した外観斜視説明図である。
【図２】図１に示されたプラグコネクタ単体を側面側から表した外観斜視説明図である。
【図３】図１及び図２に示されたプラグコネクタ単体を正面下方側から表した外観斜視説明図である。
【図４】図２中の IV−IV 線に沿った横断面説明図である。
【図５】図４中の V−V 線に沿った縦断面説明図である。
【図６】本発明の一実施形態にかかる同軸型電気コネクタ（プラグコネクタ）に連結される信号伝送媒体の一例としての細線同軸ケーブルの単体を表した外観斜視説明図である。
【図７】本発明の一実施形態にかかる同軸型電気コネクタ（プラグコネクタ）の初期開放状態（ケーブル非連結状態）を表した外観斜視説明図である。
【図８】図７に示された同軸型電気コネクタ（プラグコネクタ）の正面説明図である。
【図９】図７及び図８に示された同軸型電気コネクタ（プラグコネクタ）の側面説明図である。
【図１０】本発明の一実施形態にかかる同軸型電気コネクタ（プラグコネクタ）に用いられているシールドシェル単体の初期開放状態を表した外観斜視説明図である。
【図１１】図１０に示されたシールドシェル単体の正面説明図である。
【図１２】本発明の一実施形態にかかる同軸型電気コネクタ（プラグコネクタ）に用いられている絶縁ハウジング単体の初期開放状態を表した外観斜視説明図である。
【図１３】図１２に示された絶縁ハウジング単体の側面説明図である。
【図１４】図１２及び図１３に示された絶縁ハウジング単体の平面説明図である。
【図１５】図１２〜図１３に示された絶縁ハウジングに設けられた絶縁押圧板を折り曲げた後の閉塞状態を表した外観斜視説明図である。
【図１６】図１４に示された絶縁ハウジング単体の側面説明図である。
【図１７】本発明の他の実施形態にかかる同軸型電気コネクタ（プラグコネクタ）の構成を表した図４相当の横断面説明図である。
【図１８】図１７中の XVIII− XVIII 線に沿った縦断面説明図である。
【図１９】本発明の他の実施形態にかかる同軸型電気コネクタ（プラグコネクタ）に用いられている絶縁ハウジング単体の初期開放状態を表した外観斜視説明図である。
【発明を実施するための形態】
【００１７】
以下、信号伝送媒体として細線同軸ケーブルを使用する同軸型電気コネクタに本発明を適用した実施形態についての説明を図面に基づいて詳細に行う。
【００１８】
［同軸型電気コネクタの全体構造について］
まず、図１〜図５に示されている本発明の第１の実施形態にかかる同軸型電気コネクタとしてのプラグコネクタ１０は、ケーブル状信号伝送媒体としての細線同軸ケーブルＳＣの端末部分が連結される構成になされており、図示を省略した所定の印刷配線基板上に実装されたリセプタクルコネクタなどからなる相手側の電気コネクタ（図示省略）に対して、上方から差し込むようにして嵌合又は抜去される構成になされている。その相手側の電気コネクタ（リセプタクルコネクタ等）に対するプラグコネクタ１０の嵌合・抜去作業は、印刷配線基板の平面に対して略直交する方向に行われる。
【００１９】
より具体的には、プラグコネクタ１０における主たる嵌合部分を構成しているコネクタ本体部は、概略形状において円筒形状をなすように形成されており、その略円筒形状をなすコネクタ本体部に対して、径方向外方側の一方向から細線同軸ケーブルＳＣの端末部が連結され、その細線同軸ケーブルＳＣが連結された状態で、相手側の電気コネクタ（リセプタクルコネクタ等）の上方位置に対面するようにプラグコネクタ１０が配置される。そして、当該プラグコネクタ１０の全体が、印刷配線基板の外表面に対して略直交する方向に下降されていくことによってプラグコネクタ１０の下端部分が、相手側の電気コネクタの上端部分に対して嵌合状態になされる。このように相手側の電気コネクタに対してプラグコネクタ１０が上方から差し込まれた嵌合状態になされることによって、細線同軸ケーブルＳＣの端末部がプラグコネクタ１０及び相手側の電気コネクタを介して印刷配線基板上の配線パターン導電路に接続されることとなる。
【００２０】
ここにおいて、相手側の電気コネクタ（リセプタクルコネクタ等）に対してプラグコネクタ１０を差し込む方向を「下方向」とし、それとは反対に抜き出す抜去方向を「上方向」とする。また、プラグコネクタ１０自体において、細線同軸ケーブルＳＣの端末部が接続される方の端縁部分を「正面側端縁部分」とするとともに、それとは反対側の端縁部分を「背面側端縁部分」とし、さらにその「背面側端縁部分」から「正面側端縁部分」に向かう方向を「コネクタ前方向」、その逆方向を「コネクタ後方向」とする。また、それらの「コネクタ上下方向」及び「コネクタ前後方向」の双方に直交する方向を「コネクタ左右方向」とする。
【００２１】
［同軸ケーブルについて］
特に図６に示されているように、ケーブル状信号伝送媒体としての細線同軸ケーブルＳＣは、複数の導線で形成されたケーブル中心導体（信号線）ＳＣａ及びケーブル外部導体（シールド線）ＳＣｂが、ケーブル誘電体ＳＣｃを介して同軸状に積層された構成になされており、そのうちのケーブル外部導体（シールド線）ＳＣｂは、外周被覆材ＳＣｄが皮剥きされることによって露出状態になされているとともに、ケーブル中心導体（信号線）ＳＣａは、さらにケーブル外部導体（シールド線）ＳＣｂ及びケーブル誘電体ＳＣｃが皮剥きされることによって露出状態になされている。
【００２２】
そして、当該細線同軸ケーブルＳＣの中心軸に沿うようにして配置されたケーブル中心導体ＳＣａが、絶縁ハウジング１１に取り付けられた内部導体コンタクト（シグナルコンタクト部材）１２に接続されることによって信号回路が構成される。また、ケーブル中心導体ＳＣａの外周側を取り囲むように配置されたケーブル外部導体ＳＣｂはシールドシェル１３の外部導体シェル１３ａに接続され、その外部導体シェル１３ａが、接地用のコンタクト部材として機能することでグランド回路が構成されるようになっている。
【００２３】
［絶縁ハウジングについて］
ここで、上述した絶縁ハウジング１１は、図５に示されるように、主たる嵌合部分であるコネクタ本体部を構成する略円板形状の絶縁本体部１１ａを有しているとともに、その絶縁本体部１１ａの下方側部分に、嵌合相手である電気コネクタ（リセプタクルコネクタ等）の内方側に挿入される絶縁挿入部１１ｂを一体的に有している。そのうちの絶縁本体部１１ａの略中央部分には、上述した細線同軸ケーブルＳＣの端末部分が載置されるようにしてセットされるが、その細線同軸ケーブルＳＣのケーブル中心導体（信号線）ＳＣａを載置する内部導体コンタクト（シグナルコンタクト部材）１２が、絶縁本体部１１ａの上表面の略中央部分において凹状に形成された部位に取り付けられている。
【００２４】
また、上述した内部導体コンタクト１２の周囲を外方側から取り囲むようにして、グランドコンタクトとしてのシールドシェル１３の外部導体シェル１３ａが、上述した絶縁本体部１１ａに取り付けられている。さらに、絶縁本体部１１ａの正面側端縁部分には、正面視において略半円形状をなす凹溝からなるケーブル支持部１１ｃ（図７参照）が形成されており、そのケーブル支持部１１ｃの内方側の壁面に、上述した細線同軸ケーブルＳＣの端末部分が載置されて受けられるようになっている。
【００２５】
さらに、上述した絶縁ハウジング１１の絶縁本体部１１ａには、細線同軸ケーブルＳＣのケーブル中心導体ＳＣａを上方側から覆うようにして舌片状部材からなる絶縁押圧板１１ｄが一体的に設けられている。この絶縁押圧板１１ｄは、絶縁本体部１１ａのコネクタ後端側の端縁から片持ち状をなして細線同軸ケーブルＳＣに沿うように突出する細長の平板状部材から形成されているが、特に図１２〜図１４に示されているような細線同軸ケーブルＳＣの端末部分が載置される前の初期状態においては、当該絶縁押圧板１１ｄが上方に立ち上げられた開放状態になされている。そして、細線同軸ケーブルＳＣの端末部分が絶縁ハウジング１１にセットされた後に、後述するようにシールドシェル１３に設けられたシェル蓋部１３ｂとともに下方に折り曲げられ、その際に形成される折曲げ部１１ｆから平板状をなして延出している部位が、細線同軸ケーブルＳＣに沿って上方側から重なり合うように配置される。
【００２６】
ここで、上述したように片持ち状をなして延出している絶縁押圧板１１ｄの根本基部側の領域には、細線同軸ケーブルＳＣの延在方向に沿って細長状に延在する貫通孔からなる空間部１１ｅが設けられている。この空間部１１ｅは、細線同軸ケーブルＳＣの延在方向と直交する幅方向において絶縁押圧板１１ｄの略中央部分に、当該絶縁押圧板１１ｄの表面から板厚方向に段差状に窪む溝（本実施形態では貫通孔）の内壁面によって形成されている。そして、図１５及び図１６にも示されているように、絶縁押圧板１１ｄが下方に折り曲げられて細線同軸ケーブルＳＣの上方側に配置された際に、上述した空間部１１ｅは絶縁押圧板１１ｄに配置され、その空間部１１ｅの内壁面によって細長状に形成されている空気層が、ケーブル中心導体（信号線）ＳＣａと内部導体コンタクト１２との電気的接続領域である「結線部分」を上方側から臨むように配置されるようになっている。
【００２７】
上述したように貫通孔からなる空間部１１ｅは、外部導体シェル（グランドコンタクト部材）１３における径方向の内方領域に配置されているが、特に図４に示されているように、当該空間部１１ｅにおける幅方向（細線同軸ケーブルＳＣの延在方向と直交する方向）の内径寸法Ｗ１が、前述した内部導体コンタクト（シグナルコンタクト部材）１２の一部をなす上側ビーム部（舌片状部）１２ａが備えている幅方向の外形寸法Ｗ２より小さく形成されている（Ｗ１＜Ｗ２）。内部導体コンタクト１２の上側ビーム部（舌片状部）１２ａの構造については後段において詳細に説明するが、その舌片状部をなす上側ビーム部１２ａが細線同軸ケーブルＳＣに上方側から押圧接触することで、当該細線同軸ケーブルＳＣに対する「結線部分」を形成する構造になされている。
【００２８】
そして、このような内部導体コンタクト１２の上側ビーム部（舌片状部）１２ａに対して空間部１１ｅが有する幅寸法の大小関係（Ｗ１＜Ｗ２）によって、絶縁押圧板１１ｄは、下方に向かって折り曲げられた際に、内部導体コンタクト１２に当接される関係になされており、それによって両部材１１ｄ，１２は、一体的に折り曲げられる構成になされている。
【００２９】
ここで、上述したように絶縁押圧板１１ｄに設けられた空間部１１ｅは、特に図５に示されているように、細線同軸ケーブルＳＣのケーブル中心導体（信号線）ＳＣａと内部導体コンタクト１２との電気的接続領域である「結線部分」を上方側から臨む状態に配置されているが、さらにその「結線部分」に臨む位置から、コネクタ後方側である絶縁押圧板１１ｄの根本基部側に向かって延出しており、当該絶縁押圧板１１ｄに形成された折曲げ部１１ｆに沿って湾曲するように延びた後に、下方に向かって延在している。
【００３０】
一方、このような絶縁押圧板１１ｄを含む主たる嵌合部分を構成している絶縁ハウジング１１の絶縁本体部１１ａに対して、当該絶縁本体部１１ａから下方に向かって一体的に突出する略中空円筒状からなる絶縁挿入部１１ｂは、上述したように嵌合相手である相手側電気コネクタ（リセプタクルコネクタ等）の内方側に向かって、当該絶縁挿入部１１ｂの下端側が挿入される構成になされている。
【００３１】
［シールドシェルについて］
さらに、図１０及び図１１にも示されているように、上述した絶縁本体部１１ａ及び絶縁挿入部１１ｂを有する絶縁ハウジング１１の外側表面は、薄板金属状部材からなるシールドシェル１３の主たる嵌合部分を構成している外部導体シェル１３ａによって覆われている。この外部導体シェル１３ａは、主として絶縁ハウジング１１の絶縁本体部１１ａを径方向外方側から環状に覆うように形成された略中空円筒状のグランドコンタクト部材を構成している。また、この外部導体シェル（グランドコンタクト部材）１３ａの下方側部分は、上述した絶縁挿入部１１ｂを径方向外方側から環状に覆うシェル挿入部１３ａ１になされているとともに、当該外部導体シェル１３ａの上端側の環状開口部分には、上述した絶縁本体部１１ａの上面側を覆うシェル蓋部１３ｂが開閉可能に連結されている。
【００３２】
このとき、細線同軸ケーブルＳＣの端末部分を接続して固定する前の初期状態におけるシールドシェル１３は、特に図７〜図１２に示されているように、上述した外部導体シェル１３ａに対してシェル蓋部１３ｂが上方側へ開放された状態になされている。すなわち、当該初期状態におけるシェル蓋部１３ｂは、外部導体シェル１３ａの後方側端縁部分に、細幅の板状部材からなる繋ぎ部材１３ｂ１を介して略鉛直上方に立ち上がるように配置されている。また、そのシェル蓋部１３ｂの蓋内面、すなわち当該シェル蓋部１３ｂが閉塞された際に内方側に位置する面には、絶縁ハウジング１１の絶縁本体部１１ａから上方に立ち上がる舌片状部材からなる絶縁押圧板１１ｄが、シェル蓋部１３ｂの蓋内面に沿うように配置されている。なお、繋ぎ部材１３ｂ１の設置位置及び設置個数は任意に選定することが可能である。
【００３３】
そして、上述したようなシールドシェル１３の開放状態（初期状態）において、細線同軸ケーブルＳＣの端末部分が、絶縁ハウジング１１のケーブル支持部１１ｃに受けられるように載置されてセットされた後、繋ぎ部材１３ｂ１が絶縁押圧板１１ｄとともに下方側に向かって略直角に折り曲げられるようにしてシールドシェル１３のシェル蓋部１３ｂが略水平状態まで押し倒されると、それによって絶縁ハウジング１１の絶縁本体部１１ａの全体が、シェル蓋部１３ｂにより上方側から覆われ、シールドシェル１３が閉塞状態になされる。
【００３４】
このときのシェル蓋部１３ｂは、上述したように略水平状態まで押し倒されて閉塞された際に、外部導体シェル１３ａの上端側の環状開口部分を覆うように被せられる構造になされているが、その略水平状態まで押し倒されたシェル蓋部１３ｂの正面側部分には、細線同軸ケーブルＳＣの特にケーブル誘電体ＳＣｃ及びケーブル外部導体（シールド線）ＳＣｂを上方側から覆う前方カバー部１３ｂ２が一体的に連設されている。この前方カバー部１３ｂ２は、細線同軸ケーブルＳＣとともに、上述した外部導体シェル１３ａから前方側に突出する一対のケ一ブル保護アーム１３ａ２，１３ａ２を外方側から覆う構成になされている。
【００３５】
このとき、上述したケ一ブル保護アーム１３ａ２，１３ａ２は、細線同軸ケーブルＳＣを挟んだ左右方向の両側に沿って延在する構成になされており、前述した外部導体シェル１３ａの正面側端縁部分から細線同軸ケーブルＳＣの端末部分に沿って一対のものが互いに略平行に対向するようにして前方側に突出するように設けられている。
【００３６】
また、上述したようにシェル蓋部１３ｂの正面側から突出するように設けられた前方カバー部１３ｂ２の両側縁部には、一対の舌片状部材からなる第１固定保持板１３ｂ３、第２固定保持板１３ｂ４及び第３固定保持板１３ｂ５が、フランジ板状をなすように設けられている。そのうちの第１固定保持板１３ｂ３は、細線同軸ケーブルＳＣ及びケ一ブル保護アーム１３ａ２，１３ａ２を外方側から覆うように折り曲げられてカシメ固定される構成になされている。
【００３７】
すなわち、これら一対の第１固定保持板１３ｂ３，１３ｂ３を構成している両側フランジ板は、シェル蓋部１３ｂが略水平状態まで押し倒された際に、ケ一ブル保護アーム１３ａ２，１３ａ２の両側外方に位置するように配置され、その状態からカシメを行うようにケ一ブル保護アーム１３ａ２，１３ａ２の両側外壁面に沿ってコネクタ内方側に折り曲げられ、それによって外部導体シェル１３ａに対するシェル蓋部１３ｂの固定が行われるとともに、細線同軸ケーブルＳＣの特にケーブル誘電体ＳＣｃがシェル蓋部１３ｂに固定されるようになっている。
【００３８】
さらに、第２固定保持板１３ｂ４及び第３固定保持板１３ｂ５は、上述した第１固定保持板１３ｂ３の前方側に隣接して並列するように設けられており、比較的小型のフランジ板から形成されている。これらの第２固定保持板１３ｂ４及び第３固定保持板１３ｂ５は、細線同軸ケーブルＳＣにおけるケーブル外部導体（シールド線）ＳＣｂ及び外周被覆材ＳＣｄを外方側から覆うように折り曲げられてカシメ固定される構成になされている。
【００３９】
すなわち、それらの第２固定保持板１３ｂ４及び第３固定保持板１３ｂ５を構成している両側フランジ板は、シェル蓋部１３ｂが略水平状態まで押し倒された際に、細線同軸ケーブルＳＣにおけるケーブル外部導体（シールド線）ＳＣｂ及び外周被覆材ＳＣｄの両側外方に位置するように配置され、その状態からカシメを行うようにコネクタ内方側に折り曲げられる。それによって、細線同軸ケーブルＳＣのケーブル外部導体（シールド線）ＳＣｂ及び外周被覆材ＳＣｄに対するシェル蓋部１３ｂの固定が行われるとともに、ケーブル外部導体ＳＣｂが、第２固定保持板１３ｂ４に接触することで、シールドシェル１３によるグランド回路が構成されるようになっている。
【００４０】
一方、前述したようにシールドシェル１３の下方側部分を構成しているシェル挿入部１３ａ１は、嵌合相手である相手コネクタ（リセプタクルコネクタ等）の径方向外方側部分に外嵌される構成になされており、前述した相手コネクタの径方向内方側に挿入される絶縁ハウジング１１の絶縁挿入部１１ｂとともにコネクタ連結部分を構成している。より具体的には、このシェル挿入部１３ａ１は、略円筒形状を有するように形成されており、当該シェル挿入部１３ａ１の挿入側の下端部分に、径方向内方側に向かって突出する環状凹溝からなる連結係合部が形成されている。そして、前述したようにシェル蓋部１３ｂが略水平状態まで押し倒された後に、当該連結係合部が、嵌合相手である相手コネクタに設けられた連結係止部（図示省略）に対して弾性的な嵌合関係になされるようになっている。
【００４１】
［シグナルコンタクト部材について］
また、本実施形態において採用されている内部導体コンタクト（シグナルコンタクト部材）１２は、前述した絶縁ハウジング１１の絶縁本体部１１ａに圧入又はインサート成形等により取り付けられているが、細線同軸ケーブルＳＣのケーブル中心導体（信号線）ＳＣａに接続される一対の上下ビーム部１２ａ，１２ｂからなるケーブル挟持部を有しているとともに、そのケーブル挟持部における下側ビーム部１２ｂから下方側に向かって延出するように設けられた弾性バネ部１２ｃが、嵌合の相手コネクタ（リセプタクルコネクタ等）に設けられた導電コンタクト（図示省略）に対して弾性的に接触する構成になされている。
【００４２】
このケーブル挟持部を構成している上側ビーム部１２ａ及び下側ビーム部１２ｂは、一連に延在する帯板状部材から形成されており、側面視において略Ｃ字形状又は略Ｌ字形状をなすように折り曲げ形成されたクリップビーム構造を有している。そして、後述するように下側ビーム部１２ｂに上側ビーム部１２ａを近付ける方向に両者の連結部分を折り曲げ変形させることで、細線同軸ケーブルＳＣのケーブル中心導体（信号線）ＳＣａを、両ビーム部１２ａ，１２ｂ同士の間に上下からクリップ状に挟むことによって、本発明でいう「結線部分」が形成される構造になされている。
【００４３】
このとき、ケーブル挟持部の上側ビーム部１２ａは、上述した細線同軸ケーブルＳＣの端末部分を連結する前の段階である初期状態において、特に図７〜図９に示されているように斜め上方に立ち上げられた舌片状部をなすように形成されており、当該舌片状部としての上側ビーム部１２ａが上方開放状態になされていることによって、下側ビーム部１２ｂから上方に離間した状態になされている。
【００４４】
一方、ケーブル挟持部の下側ビーム部１２ｂは、細線同軸ケーブルＳＣのケーブル中心導体ＳＣａが載置されるケーブル載置部として形成されたものであって、上側ビーム部（舌片状部）１２ａとの連結部分からコネクタ前方側に向かって略水平に延出している。そして、前述したように絶縁ハウジング１１のケーブル支持部１１ｃに細線同軸ケーブルＳＣの端末部分が載置された際に、当該細線同軸ケーブルＳＣのケーブル中心導体ＳＣａが、ケーブル挟持部の下側ビーム部１２ｂの表面に上方側から載置される。
【００４５】
このようにして細線同軸ケーブルＳＣの端末部分が、絶縁ハウジング１１のケーブル支持部１１ｃに載置されてセット状態になされた後に、シールドシェル１３のシェル蓋部１３ｂが、前述した絶縁押圧板１１ｄとともに略水平状態まで押し倒されることとなるが、その際には、絶縁押圧板１１ｄにより下方側に押されたケーブル挟持部の上側ビーム部（舌片状部）１２ａが、略水平状態となるまで押し倒されるように屈曲変形され、当該上側ビーム部１２ａが、特に図５に示されているように、ケーブル中心導体（信号線）ＳＣａを上方側から押圧する構成になされている。
【００４６】
ここで、上述したケーブル挟持部を構成する上側ビーム部（舌片状部）１２ａにおける延在方向の途中位置は、ケーブル中心導体（信号線）ＳＣａを上方側から押圧する上方電極部に形成されている。このシグナルコンタクト部材１２の上側ビーム部１２ａに設けられた上方電極部は、細線同軸ケーブルＳＣを挟持する下方向に突出する屈曲形状に形成されており、その下方側屈曲形状部分が、細線同軸ケーブルＳＣ側に向かって突出する突状接点部になされている。この突状接点部は、前述したようにシェル蓋部１３ｂが略水平状態まで押し倒された際に、下側ビーム部１２ｂ上にセットされている細線同軸ケーブルＳＣのケーブル中心導体（信号線）ＳＣａに対して上方側から圧接する構成になされており、両ビーム部１２ａ，１２ｂ同士の間にケーブル中心導体（信号線）ＳＣａが圧接された状態で挟持されるとともに、電気的な接続が行われる構成になされている。
【００４７】
このようにして細線同軸ケーブルＳＣのケーブル中心導体（信号線）ＳＣａが内部導体コンタクト（シグナルコンタクト部材）１２に接続される電気的接続領域を、前述したように本発明では「結線部分」としている。
【００４８】
また、上述した内部導体コンタクト１２のケーブル載置部として設けられた下側ビーム部１２ｂは、舌片状部をなす上側ビーム部１２ａとの連結部分から平坦状をなして前方に延出する板状部材から形成されており、前述した絶縁ハウジング１１における絶縁本体部１１ａの上表面に載置された状態で固定されている。この下側ビーム部１２ｂの略中央部分には、丸穴形状をなす接続監視穴１２ｂ１が貫通形成されているが、当該接続監視穴１２ｂ１とほぼ同軸状をなすようにして、相手側コネクタのコンタクト挿入孔が絶縁ハウジング１１に貫通形成されている。その相手側コネクタのコンタクト挿入孔は、接続監視穴としての機能を兼ねており、上述した接続監視穴１２ｂ１を通して、細線同軸ケーブルＳＣのケーブル中心導体（信号線）ＳＣａの配置状態が下方側から目視可能となっている。
【００４９】
さらに、前述したようにケーブル挟持部の下側ビーム部１２ｂは、コネクタ前後方向に延在する帯板状部材から形成されているが、当該下側ビーム部１２ｂの板幅方向（左右方向）における両側端縁部からは、下方側に向かって一対の弾性バネ部１２ｃ，１２ｃが所定の間隔をなして一体的に延出しており、それらの両弾性バネ部１２ｃ，１２ｃ同士の間部分に、嵌合の相手コネクタ（リセプタクルコネクタ等）に設けられたピン形状の信号導電コンタクト（図示省略）が、圧接状態で挿入されて電気的に接続される構成になされている。
【００５０】
ここで、前述したように初期状態に上方開放状態となっているシールドシェル１３のシェル蓋部１３ｂが、下方側に向かって押し倒される際には、同じく初期状態に上方開放状態となっている絶縁ハウジング１１の絶縁押圧板１１ｄが、シェル蓋部１３ｂの蓋内面における所定の領域に対して下方側から対向して圧接状態となり、その後にシェル蓋部１３ｂとともに略水平状態まで押し倒されていく。そして、これらのシェル蓋部１３ｂ及び絶縁押圧板１１ｄが、内部導体コンタクト（シグナルコンタクト部材）１２の上側ビーム部（舌片状部）１２ａを介して、ケーブル中心導体（信号線）ＳＣａの上方側に積層状に配置される。このとき、シェル蓋部１３ｂの蓋内面と絶縁押圧板１１ｄとが圧接する対向領域には、細長のシェル側凹溝部１４が、ケ一ブル状信号伝送媒体ＳＣに沿ってコネクタ前後方向に延在するように設けられている。
【００５１】
本実施形態におけるシェル側凹溝部１４は、シェル蓋部１３ｂの内面の一部を板厚方向に段差状に窪ませた構成になされており、当該シェル側凹溝部１４の内壁面により形成されている空気層が、前述した絶縁押圧板１１ｄの空間部１１ｅにより形成されている空気層に対して上方から対向する配置関係なされている。そして、これらのシェル側凹溝部１４と空間部１１ｅとが上下方向に対向する状態に重なり合う配置関係によって両部材１４，１１ｅ同士の間部分に、伝送信号のインピーダンスを調整するための空気層が重合状態で形成されている。
【００５２】
本実施形態におけるシェル側凹溝部１４は、例えばプレス加工等によって形成されており、当該シェル側凹溝部１４の溝深さ分だけシェル蓋部１３ｂの板厚さが薄肉化されることにより設けられているが、インピーダンスの調整量によってはシェル側凹溝部１４を設けない場合もあり得る。
【００５３】
また、上述したようにシェル側凹溝部１４は、ケ一ブル状信号伝送媒体ＳＣに沿って延在しているが、当該シェル側凹溝部１４の長手方向における延在範囲は、内部導体コンタクト（シグナルコンタクト部材）１２の後端部である下側ビーム部（ケーブル載置部）１２ｂと上側ビーム（舌片状部）１２ａとの連結部分から、ケーブル状信号伝送媒体ＳＣの誘電体ＳＣｃが露出している部位の上方位置に至るまでの範囲に設定されている。
【００５４】
より具体的には、特に図１０及び図１１に示されているように、本実施形態におけるシェル側凹溝部１４は、細線同軸ケーブルＳＣのケーブル中心導体ＳＣａが電気的に接続される領域である結線部分の上方に位置する細幅溝部１４ａと、細線同軸ケーブルＳＣの誘電体ＳＣｃの上方に位置する太幅溝部１４ｂとを、直線状に連続するように備えたものであって、電気的接続領域である結線部分に配置された細幅溝部１４ａが有している溝幅は、前述した絶縁押圧板１１ｄが電気的接続領域において有する板幅より小さくなるように形成されている。
【００５５】
なお、シェル側凹溝部１４の溝幅方向両側に対応した領域は、シェル蓋部１３ｂの蓋内面になされているが、上述した結線部分に配置された細幅溝部１４ａの両側に位置するシェル蓋部１３ｂの蓋内面は、絶縁押圧板１１ｄの上側表面に対して上方側から当接する落込抑止部１３ｂ６になされている。すなわち、この落込抑止部１３ｂ６は、絶縁押圧板１１ｄの上側表面に当接することによって当該絶縁押圧板１１ｄの上方に積層される関係になされていることから、シェル側凹溝部１４により形成されている空気層の電気的接続領域に配置された細幅溝部１４ａの内部に絶縁押圧板１１ｄが入り込むことはなく、電気的接続領域にシェル側凹溝部１４が確実に形成されるようになっている。
【００５６】
一方、太幅溝部１４ｂの溝幅は、絶縁押圧板１１ｄの板幅より大きくなされているが、本実施形態における絶縁押圧板１１ｄは、延出長さの方向において細幅溝部１４ａの途中位置までしか延在しておらず、太幅溝部１４ｂに対向することはない構成になされている。従って、シールドシェル１３のシェル蓋部１３ｂが押し倒された閉塞状態においても、太幅溝部１４ｂの内部に絶縁押圧板１１ｄが入り込むことはなく、当該絶縁押圧板１１ｄは、全長にわたってシェル蓋部１３ｂの内面に圧接した積層状態に保持される。そして、その絶縁押圧板１１ｄの上方に、シェル蓋部１３ｂが積層された状態に維持されるとともに、当該絶縁押圧板１１ｄの直上位置にシェル側凹溝部１４が配置されるようになっている。
【００５７】
また、電気的接続領域である結線部分からやや離れたシェル側凹溝部１４の他の領域を形成している太幅溝部１４ｂは、上述したように細線同軸ケーブルＳＣにおける誘電体ＳＣｃの露出部分に対応した位置に配置されているが、当該太幅溝部１４ｂが有している溝幅は、細線同軸ケーブルＳＣの誘電体ＳＣｃが有している外径よりやや大きくなるように形成されている。従って、細線同軸ケーブルＳＣの誘電体ＳＣｃは、シェル側凹溝部１４の太幅溝部１４ｂの内部に収容され、それによってコネクタの低背化が図られている。
【００５８】
また、前述したように太幅溝部１４ｂが有している溝幅は、絶縁押圧板１１ｄの板幅より大きく設定されているとともに、電気的接続領域における内部導体コンタクト１２の板幅より大きく設定されている。さらに、上述したようにシェル側凹溝部１４の一部を構成している細幅溝部１４ａの溝幅は、ケ一ブル状信号伝送媒体ＳＣのケーブル中心導体（信号線）ＳＣａ、すなわち内部導体コンタクト（シグナルコンタクト部材）１２が接触する部分の線径と同一又はそれ以上となるように設定されている。さらにまた、シェル側凹溝部１４の他の部分を構成している細幅溝部１４ａの溝幅は、内部導体コンタクト（シグナルコンタクト部材）１２の上側ビーム部１２ａが有する板幅より小さく設定されている。
【００５９】
このような構成を有する本実施形態によれば、絶縁押圧板１１ｄに設けられた貫通孔の内壁面によって形成された空間部１１ｅが、シールドシェル１３の外部導体シェル１３ａにおける径方向の内方領域に配置されているとともに、ケーブル中心導体（信号線）ＳＣａと内部導体コンタクト１２との電気的接続領域である結線部分に臨む配置関係になされている。そのため、当該空間部１１ｅにより形成されるインピーダンス調整用の空気層が、インピーダンスの不整合を生じやすい結線部分に対面するように配置されることとなり、電気コネクタの重要設計要素であるインピーダンスのマッチング度合い（ＶＳＷＲ）の調整が効率的に行われることによって、電気コネクタの小型化又は低背化を行いつつ高周波信号の良好な伝送が容易に維持される。
【００６０】
特に、本実施形態においては、絶縁押圧板１１ｄに設けられた空間部１１ｅが、当該絶縁押圧板１１ｄの折曲げ部１１ｆに至る領域まで延在していることから、シールドシェル１３の外部導体シェル１３ａに対して径方向に対向する部位においても、インピーダンスの調整用の空気層が形成されることとなっており、その結果、インピーダンスの整合が更に効率的に行われるとともに、絶縁押圧板１１ｄの折曲げ部１１ｆにおける剛性が空間部１１ｅによって低減されることとなっていることから、絶縁押圧板１１ｄに対する折り曲げ作業が、破損等を生じることなく容易に行われる。
【００６１】
さらに、本実施形態によれば、絶縁押圧板１１ｄの空間部１１ｅによるインピーダンスの整合作用に加えて、シールドシェル１３のシェル蓋部１３ｂに設けられたシェル側凹溝部１４によってもインピーダンスの整合が行われるため、インピーダンスの整合が、一層効率的かつ容易に行われるようになっている。
【００６２】
なお、本実施形態のように空間部１１ｅを貫通孔により構成しておけば、製造の容易な貫通孔により空間部１１ｅが形成されることから、その分、製造効率の向上が図られる。
【００６３】
次に、図１７〜図１９に示された第２の実施形態における構成を説明する。この第２の実施形態においては、前述した第１の実施形態で付与した部材符号の１０の位である「１」を「２」に替えて表しているが、当該第２の実施形態にかかるプラグコネクタ（同軸型電気コネクタ）２０では、絶縁押圧板２１ｄの根本基部側の領域に設けられた空間部２１ｅが、細線同軸ケーブルＳＣの延在方向に沿って細長状に延在する有底の凹状溝から形成されており、その他の部材の構成については第１の実施形態と同様である。
【００６４】
すなわち、本実施形態にかかる有底の凹状溝の内壁面によって形成された空間部２１ｅも、絶縁押圧板２１ｄの表面の一部に、板厚方向（上方向）に段差状をなして窪むように形成されたものであるが、絶縁押圧板２１ｄが細線同軸ケーブルＳＣの上方に重なり合うように配置された際に、当該空間部２１ｅを構成している凹状溝が、ケーブル中心導体（信号線）ＳＣａと内部導体コンタクト１２との電気的接続領域である「結線部分」を上方側から臨む配置関係になされている。この凹状溝からなる空間部２１ｅは、ケーブル中心導体（信号線）ＳＣａと内部導体コンタクト１２との「結線部分（電気的接続領域）」から、コネクタ後方側である絶縁押圧板２１ｄの根本基部側に向かって延出しており、絶縁押圧板２１ｄに形成された折曲げ部２１ｆに沿って湾曲するように延びた後に下方に向かって延在している。
【００６５】
このような有底の凹状溝からなる空間部２１ｅを備えた第２実施形態においても、第１の実施形態と同様な作用・効果を得ることができる。
【００６６】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００６７】
例えば、上述した実施形態は、垂直嵌合型の電気コネクタに本発明を適用したものであるが、水平嵌合型の電気コネクタに対しても同様に適用することができる。
【００６８】
また、本発明は、上述した実施形態のような単芯の細線同軸ケーブル用コネクタに限定されることはなく、多極状に配置された同軸ケーブル用コネクタや、同軸ケーブルと絶縁ケーブルとが複数混合したタイプの電気コネクタ等についても同様に適用することが可能である。
【産業上の利用可能性】
【００６９】
以上のように本実施形態は、各種電気機器に使用される多種多様な電気コネクタに対して広く適用することが可能である。
【符号の説明】
【００７０】
１０  プラグコネクタ（同軸型電気コネクタ）
１１  絶縁ハウジング
１１ａ  絶縁本体部
１１ｂ  絶縁挿入部
１１ｃ  ケーブル支持部
１１ｄ  絶縁押圧板
１１ｅ  空間部（貫通孔）
１１ｆ  折曲げ部
１２  内部導体コンタクト（シグナルコンタクト部材）
１２ａ  上側ビーム部（舌片状部）
１２ｂ  下側ビーム部（ケーブル載置部）
１２ｂ１  接続監視穴
１２ｃ  弾性バネ部
１３  シールドシェル
１３ａ  外部導体シェル（グランドコンタクト部材）
１３ａ１  シェル挿入部
１３ａ２  ケ一ブル保護アーム
１３ｂ  シェル蓋部
１３ｂ１  繋ぎ部材
１３ｂ２  前方カバー部
１３ｂ３  第１固定保持板
１３ｂ４  第２固定保持板
１３ｂ５  第３固定保持板
１３ｂ６  落込抑止部
１４  シェル側凹溝部
１４ａ  細幅溝部
１４ｂ  太幅溝部
ＳＣ  細線同軸ケーブル（ケーブル状信号伝送媒体）
ＳＣａ  ケーブル中心導体（信号線）
ＳＣｂ  ケーブル外部導体（シールド線）
ＳＣｃ  ケーブル誘電体
ＳＣｄ  外周被覆材
２０  プラグコネクタ（同軸型電気コネクタ）
２１  絶縁ハウジング
２１ａ  絶縁本体部
２１ｂ  絶縁挿入部
２１ｃ  ケーブル支持部
２１ｄ  絶縁押圧板
２１ｅ  空間部（凹状溝）
２１ｆ  折曲げ部
２２  内部導体コンタクト（シグナルコンタクト部材）
２２ａ  上側ビーム部（舌片状部）
２２ｂ  下側ビーム部（ケーブル載置部）
２２ｂ１  接続監視穴
２２ｃ  弾性バネ部
２３  シールドシェル
２３ａ  外部導体シェル（グランドコンタクト部材）
２３ａ１  シェル挿入部
２３ａ２  ケ一ブル保護アーム
２３ｂ  シェル蓋部
２３ｂ１  繋ぎ部材
２３ｂ２  前方カバー部
２３ｂ３  第１固定保持板
２３ｂ４  第２固定保持板
２３ｂ５  第３固定保持板
２３ｂ６  落込抑止部
２４  シェル側凹溝部
２４ａ  細幅溝部
２４ｂ  太幅溝部
【図１】
2016146318.tif 000003
【図２】
2016146318.tif 000004
【図３】
2016146318.tif 000005
【図４】
2016146318.tif 000006
【図５】
2016146318.tif 000007
【図６】
2016146318.tif 000008
【図７】
2016146318.tif 000009
【図８】
2016146318.tif 000010
【図９】
2016146318.tif 000011
【図１０】
2016146318.tif 000012
【図１１】
2016146318.tif 000013
【図１２】
2016146318.tif 000014
【図１３】
2016146318.tif 000015
【図１４】
2016146318.tif 000016
【図１５】
2016146318.tif 000017
【図１６】
2016146318.tif 000018
【図１７】
2016146318.tif 000019
【図１８】
2016146318.tif 000020
【図１９】
2016146318.tif 000021